(57)【要約】  本発明は、吸収物品及び前記吸収物品のためのラッパーを具備するキットを提供する。ラッパーは境界により規定される。ラッパーは、前記ラッパーを区分けしてそれ自体ストリップを規定する少なくとも１つのスリットを具備し、前記ストリップは、吸収物品が、ラッパー内に巻かれ、及び／又は折り畳まれることができ、前記ストリップにより巻かれた及び／又は折り畳まれた形状に保持されるように、配置される。本発明は、また吸収物品の処分のための方法を提供する。
2012511993.tif 000002
【特許請求の範囲】
【請求項１】
キットであって、
ａ．吸収物品（１０）；
ｂ．前記吸収物品（１０）のためのラッパー（２０）であって、境界（２１）により規定されるラッパー（２０）；
を具備し、
ここで、ラッパー（２０）は、前記ラッパー（２０）を区分けしてそれ自体少なくとも１つのストリップ（１００）を規定する少なくとも１つのスリット（３０）を具備し
各スリット（３０）の少なくとも１つの端部（３１、３２）は、ラッパー（２０）の境界（２１）に延在しないので、各ストリップ（１００）は前記ラッパー（２０）に接続されたままであり；前記少なくとも１つのストリップ（１００）は、吸収物品（１０）がラッパー（２０）内に巻かれて及び／又は折り畳まれることができ、前記少なくとも１つのストリップ（１００）により巻かれる及び／又は折り畳まれる形状に保持されることができるように、配置されることを特徴とするキット。
【請求項２】
前記ラッパー（２０）が、それ自体１つのストリップ（１００）を規定する一つのスリット（３０）を具備することを特徴とする請求項１に記載のキット。
【請求項３】
ストリップ（１００）は、ループ（４５）を形成し、且つ前記吸収物品（１０）は、前記少なくとも１つのループ（４５）を巻かれた及び／又は折り畳まれた吸収物品（１０）の少なくとも一部に亘って被せることにより、巻かれる及び／又は折り畳まれた形状で保持されるように、前記スリット（３０）の端部（３１、３２）のどれも、ラッパー（２０）の境界（２１）に延在しないことを特徴とする請求項１または２に記載のキット。
【請求項４】
前記スリット（３０）は、ラッパー（２０）の１つの横方向縁（２４）に実質的に近接して配置されることを特徴とする請求項１から３のいずれか一項に記載のキット。
【請求項５】
前記スリット（３０）の少なくとも１つの端部（３１，３２）が補強されることを特徴とする請求項１から４のいずれか一項に記載のキット。
【請求項６】
前記スリット（３０）は、吸収物品（１０）がパッケージされている際スリット（３０）が実質的に閉じられて保持するが破られてスリット（３０）を開放することができる目打ち（３３）を具備することを特徴とする請求項１から５のいずれか一項に記載のキット。
【請求項７】
吸収物品（１０）は、使用前に、前記ラッパー（２０）内にパッケージされていることを特徴とする請求項１から６のいずれか一項に記載のキット。
【請求項８】
使用後に、吸収物品（１０）の処分をするための方法であって、前記方法は、
ａ．請求項１〜７のいずれか１つによるキット（１０）を提供するステップ；
ｂ．もし必要であれば、スリット（３０）を空けるために目打ち（３３）を破るステップ；
ｃ．ラッパー（２０）内に使用された吸収物品（１０）を巻く及び／又は折り畳むステップ；
ｄ．前記ストリップ（１００）により吸収物品（１０）を巻かれた及び／又は折り畳まれた形状に保持するステップ
を含むことを特徴とする方法。
【発明の詳細な説明】
【技術分野】
【０００１】
本願発明は、安全、衛生的処理のため、折り畳まれた形状で固定されることができる吸収物品を提供し、また汚された吸収物品の衛生的な処理のための方法を提供する。少なくとも１つのスリットは、吸収物品のためのラッパーに具備され、それは前記ラッパーを区分けして、少なくとも１つのそれ自体１つのストリップを規定する。吸収物品は、前記少なくとも１つのストリップにより、処理するため、巻かれるか、又は折り畳まれた形状で保持されることができる。
【背景技術】
【０００２】
おむつ、失禁ガード、衛生ナプキン及びパンティライナーのような吸収物品は、血液、尿、汗及び糞便のような身体滲出物の吸収に使用される。吸収物品は、ときには、製品が使用前に清潔で無傷に保持されるように、ラッパーに個別にパッケージされる。
【０００３】
吸収物品が使用されて汚された後、使用者又はケアギバーは、安全の問題、吸収物品及びその内容物の衛生的な処分、に直面する。衛生ナプキンのような、ラッパーを具備する吸収物品では、処分目的のため、新しい（使用されていない）物品のラッパー内に使用済みの物品を巻くか、又は、折り畳むことが通常である。この技術は、物品内の滲出物を保持しやすく、例えば血液のような滲出物が物品の外側から見えないので、より美的に満足できる。
【０００４】
しかしながら、巻かれているものが広がるか、または折り畳まれているものが広がることを防ぐ特別な手段がないと、折り畳まれた又は巻かれた吸収物品は、自由に再び広がり、したがって、排泄容器を汚し及び滲出物を周囲の環境に放出することを許してしまう。実際、身体滲出物は、ゆっくりと、使用後に吸収物品内に再分配されるので、吸収物品内の再分配力は、巻かれているものが広がるか、または折り畳まれているものが広がることを引き起こすことが通常である。
【０００５】
多くの解決策が、従来技術において、処理のために、吸収物品を巻かれた又は折り畳まれた形状に保持することが知られている。ある種の吸収物品は、物品に存在する固定手段を使用して、処理のため、巻かれた又は折り畳まれた形状に保持されることができる。例えば、接着剤を具備するウィングを有する衛生ナプキンは、ウィングを互いに又はナプキンの本体に接着することにより折り畳まれた形状に維持することができる（例えば、特許文献１参照）。しかしながら、特に小さな衛生ナプキン及びパンティライナーにおいて、接着ウィングは必ずしも存在しない。さらに、それらのウィングを経由して巻かれた又は折り畳まれた形状に固定された衛生ナプキンは、一時的に接着されるのみの傾向があり、排泄容器内で短期間の後に再び開く傾向がある。
【０００６】
（接着剤又はフック材料の）処理タブは、吸収物品に存在しているかもしれない。吸収物品が折り畳まれた後、処理タブは吸収物品を折り畳まれた形状に固定するために採用される。そのような解決策が、特許文献２、及び同様に、特許文献３に図示されている。しかしながら、処理タブを含めることは、余分な材料及び製造コストを含み、処理タブが取れて落ちるかもしれず、又は使用中に着用者の服にくっ付くことになる危険を導入する。
【０００７】
汚れた吸収物品を巻かれた又は折り畳まれた形状に固定するための別の方法は、物品上にポケットを備えることより折り畳まれた吸収物品が挿入されるものである（例えば、特許文献４）。しかしながら、この解決策は余分な材料からポケットを形成することを必要とする。特許文献５は、また、ラッパー中のポケットを開示する。
【０００８】
特許文献６は、一体的な処理ラッパーを具備する衛生ナプキンを記載する。特許文献７は、一体的な処理バッグを具備する衛生ナプキンを記載する。特許文献８は、タンポンラッパーがポリエチレンフィルムチューブであり、それでタンポンの処理を行うことができるタンポンラッパーを開示する。特許文献９、特許文献１０及び特許文献１１は、独立して、パッケージされた吸収物品を開示する。
【先行技術文献】
【特許文献】
【０００９】
【特許文献１】米国特許第５３５８４９９号明細書
【特許文献２】米国特許第４３８０４５０号明細書
【特許文献３】米国特許第５４８４６３６号明細書
【特許文献４】国際公開第２００６／０５４９２５号パンフレット
【特許文献５】米国特許出願公開第２００３／０１１５８３４号明細書
【特許文献６】米国特許第４６９２１６２号明細書
【特許文献７】米国特許第４５８１０２７号明細書
【特許文献８】米国特許出願第２００８／００５８７４９号明細書
【特許文献９】米国特許第５９５４２０１号明細書
【特許文献１０】国際公開第９９／５２４８５号パンフレット
【特許文献１１】国際公開第９９／５２４８３号パンフレット
【発明の概要】
【発明が解決しようとする課題】
【００１０】
処理のため、単純で、効果的な方法で、余分なコンポーネントの必要がなく、そして製造工程に最小の変化で、巻かれた又は折り畳まれた形状を維持することができる、付随するラッパーを備えた吸収物品の必要性がある。さらに、処理のため、巻かれた又は折り畳まれた形状に「固定される」ことができる付随するラッパーを備えた吸収物品の必要性がある。
【課題を解決するための手段】
【００１１】
従って、本願発明は、吸収物品及び前記吸収物品のためのラッパーを備えたキットを提供する。ラッパーは境界により規定される。ラッパーは、前記ラッパーを区分けしてそれ自体ストリップを規定する少なくとも１つのスリットを具備する。各スリットの少なくとも１つの端部は、各ストリップがラッパーに接続されたままになるように、ラッパーの境界に延在しない。少なくとも１つのストリップは、吸収物品が、ラッパー内に巻かれ、及び／又は折り畳まれることができ、前記少なくとも１つのストリップにより巻かれた及び／又は折り畳まれた形状に保持されるように、配置される。
【００１２】
適切に、ラッパーは、それ自体１つのストリップを規定する１つのスリットを具備する。
【００１３】
本発明の１つの実施形態において、スリットのどの端部もラッパーの境界に延在せず、ストリップがループを形成し、前記吸収物品が、前記少なくとも１つのループを少なくとも巻かれた及び／又は折り畳まれた吸収物品の一部に渡って引っ張ることにより、巻かれた及び／又は折り畳まれた形状に保持されるようにする。
【００１４】
適切に、スリットは、ラッパーの１つの横方向縁部に近接して実質的に配置される。好ましくは、スリットの端部の少なくとも１つが補強される。
【００１５】
１つの実施形態においてスリットは目打ちを具備し、吸収物品がパッケージされるときに、スリットを実質的に閉じて保持するが、スリットを広げるために破れることができるものである。
【００１６】
本発明によるキットにおいて、吸収物品は前記ラッパー内にパッケージされることができる。
【００１７】
本発明は、また、使用後に吸収物品を処理するための方法を提供し、前記方法は、以下のステップを具備する:
ａ．上記によるキットを提供するステップ；
ｂ．もし必要であれば、スリットを空けるために目打ちを破るステップ；
ｃ．ラッパー内に使用された吸収物品を巻く及び／又は折り畳むステップ；
ｄ．前記ストリップにより吸収物品を巻かれた及び／又は折り畳まれた形状に保持するステップ。
【００１８】
定義
「吸収物品」という用語は、おむつ、男性又は女性用の失禁ガード、衛生ナプキン、又はパンティライナー（「ストリング」下着で使用するための物品を含む）からなる群から選択される物品を意味するものとして理解されるべきである。そのような物品は、例えば血液、尿、汗及び糞便のような身体滲出物の吸収のために使用される。
【００１９】
本発明は、同封の概略的な図を参照してより詳細に記載される。
【図面の簡単な説明】
【００２０】
【図１】本発明のラッパーにパッケージされた衛生ナプキンを示す図である。
【図２】使用前の、着用者に面する側から見た、本発明の衛生ナプキン及びラッパーの平面図である。
【図３】ラッパーの目打ちが破れており、巻く準備ができて重ねられている図１の衛生ナプキン及びラッパーを示す図である。
【図４Ａ】どのように衛生ナプキンが図１のラッパー内に巻かれることができるかを示す図である。
【図４Ｂ】どのように巻かれた衛生ナプキン及びラッパーが巻かれた形状に保持されるかを示す図である。
【図５Ａ】どのように衛生ナプキンが図１のラッパー内に折り畳まれることができるかを示す図である。
【図５Ｂ】どのように巻かれた衛生ナプキン及びラッパーが折り畳まれた形状に保持されるかを示す図である。
【図６Ａ】別の実施形態であって、２つのスリットが存在しており、そのそれぞれがラッパーの１つの縁に延在することを示す図である。
【図６Ｂ】別の実施形態であって、２つのスリットが存在しており、そのそれぞれがラッパーの１つの縁に延在することを示す図である。
【図７Ａ】どのように図６Ａの実施形態が使用されるかを示す図である。
【図７Ｂ】どのように図７Ａの実施形態が使用されるかを示す図である。
【発明を実施するための形態】
【００２１】
本願発明は、吸収物品に関するが、衛生ナプキンを参照して、同封した図面及び以下の記載で示される。
【００２２】
吸収物品は、通常細長い形態を有しており、着用者の生殖器領域で着用されて、着用者の肌と着用者の服の間で体液を吸収するようにデザインされる。それらは、通常２つの面を有しており、−その１つは着用者の身体に面して、滲出物を受容するように作用し、その他方は、着用者の服に面する。使用された吸収物品中の身体滲出物は、したがって、そのような製品の１つの面に存在するので、環境に露出され、特に漏れに影響を受けやすい。
【００２３】
図１は、使用前に貯蔵されているままのラッパー２０に取り囲まれた吸収物品（この場合衛生ナプキン１０）を示す。その最も単純な実施形態において、本願発明は、吸収物品１０、及び前記吸収物品１０のためのラッパー２０を具備するキットを提供する。
【００２４】
吸収物品は、典型的には、示されているように長手方向（Ｌ）及び横方向（Ｔ）の範囲を有しており、長手方向中央線について対称である。それらは、横方向中央線についても対称であってもよいが、通常こういう場合は少ない。衛生ナプキン１０は、Ｌ−Ｔ平面で、楕円、「ドッグボーン」、「レーストラック」「台形」及び「マーメイド」を含む様々な形状を有している。吸収物品１０は、大抵、平面であり、それは、輸送及びパッケージングをより容易にするが、しかし、例えば、ある領域に余分なコンポーネント又は弾性体により提供されて、３次元形状すら有することができる。さらに、吸収物品１０は、溝又は圧縮線を備えることができ、それは液体の流れを及び拡散を助け、３次元形状の形成を促進する。示された衛生ナプキン１０は、中央領域１３及び前１１及び後ろ１２領域を有しており、前記中央領域１３は、長手方向で、前記前１１及び後ろ１２領域の間に配置される。典型的な衛生ナプキンは、長手方向Ｌに２００〜３００ｍｍの間の範囲を、横方向Ｔに５０〜９０ｍｍの間の範囲を有することができる。
【００２５】
図２に示される吸収物品１０は、液体透過トップシート１５、液体不透過バックシート１６及びそれらの間に配置される吸収コア１７を具備する。しかしながら、全ての吸収物品が、これらのコンポーネントのすべてを備えているわけではない。ある小さなパンティライナーは、それ自体吸収コア１７を具備しないが、しかし代わりに、それらのある領域で、材料、例えば不織布材料の追加の層を具備する。さらに、ある吸収物品は、別個のトップシート５０又はバックシート６０を具備しない。
【００２６】
吸収物品１０のトップシート１５は、物品が使用される際に、着用者の身体に接触して存在する層である。それ自体、それは、柔軟で、非刺激性で、そして、皮膚に対して快適であるべきであり、そして身体流体は、邪魔されることなく通過することができるべきである。トップシート１５は、不織布材料、例えば、スパンボンド、メルトブローン、カーデッド、水流交絡式，湿式等から構成されることができる。適した不織布材料は、例えばパルプ又は綿繊維などの自然繊維、ポリエステル、ポリエチレン、ポリプロピレン、ビスコース等の人工繊維、又は自然繊維及び人工繊維の混合物から構成することができる。さらに、トップシートの材料はトウ（tow）繊維から構成することができ、例えば欧州特許出願公開第１０３５８１８号明細書に開示されているような結合パターンに互いに結合することができる。トップシートの材料のさらなる例は、多孔性発泡材、有孔のプラスチックフィルム等である。トップシート１５は、吸収物品１０の異なる部分で、異なっていてもよい。
【００２７】
吸収物品１０のバックシート１６は、物品が使用される際に、着用者の身体から最も離れて存在する層である。着用者の衣類を汚れから防護するために、液体不透過であるべきであるが、好ましくは気体透過可能（すなわち、通気可能）であり、空気及び水蒸気が、物品に入り、且つ出ることが許されることにより、おむつで生じる暖かく、湿った状態が減少されるようになる。典型的には、バックシート１４は、例えばポリエチレン又はポリプロピレンフィルムのような薄いプラスチックフィルム、液体不透過材料でコートされた不織布材料、液体透過に耐性を有する疎水性不織布材料又はプラスチックフィルムと不織布材料を具備するラミネートのような、液体不透過材料からなる。通気可能なバックシートの材料の例としては、微孔性のポリマーフィルム、スパンボンド及びメルトブローンの層からなる不織布ラミネート、微孔性のポリマーフィルム及び不織布材料からなるラミネートがある。バックシート１６は、吸収物品１０の異なる部分で、異なっていてもよい。
【００２８】
吸収物品１０の吸収コア１７は、液体及び他の身体滲出物を受容して含むために作用し、且つ通常の種類のものとすることができる。それ自体、それは、典型的には、吸収材料を具備する。通常使用される吸収材料の例は、セルロースフラップパルプ、ティッシュ層、高吸収ポリマー（いわゆる超吸収体）、吸収フォーム材料、吸収不織布材料又は同種のものである。吸収本体にセルロースフラッフパルプと超吸収体とを混ぜることが通常である。液体受容能力、液体分配能力及び貯蔵能力に関して異なる特性の異なる材料の層を具備する吸収本体を有することも通常である。薄い吸収本体は、例えば乳幼児おむつ及び失禁ガードでは通常であり、しばしば、複雑に混ぜられ又は層化された構造のセルロースフラッフパルプ及び超吸収体を具備する。吸収体コア１７の寸法及び吸収能力は、たとえば、幼児のため、又は失禁大人のような異なる使用に適するように変えることができる。
【００２９】
吸収コア１７は、身体排泄物の扱いを改善するようにデザインされた１以上の層を具備することができる。そのような層は、短い時間で大きな量の液体を受容して、それを分配するようにデザインされる。それらは、いわゆる、輸送、分配、サージ（活性）、獲得層を含み、大抵トップシート１５と吸収コア１７の間に配置されている。
【００３０】
トップシート１５及びバックシート１６は、通常、物品の平面中に、同様の範囲を有する一方、吸収コア１７は、幾分かより小さな範囲を有する。トップシート１５及びバックシート１６は、吸収コア１７の周辺辺りで互いに接続されて、コア１７は、トップシート１５及びバックシート１６により形成されるエンベロープ内に封入される。吸収コア１７は、吸収物品１０の中央領域１３中に、少なくとも配置され、前１１及び後ろ１２領域に幾分か延在することもできる。トップシート１５及びバックシート１６は、通常の技術手段、例えば、超音波溶接、熱溶接又は糊により互いに接続されることができる。
【００３１】
ラッパー２０は、使用前に、吸収物品１０辺りに配置され、環境からそれを保護する。ラッパー２０は、従って、使用前に吸収物品１０を実質的に完全に覆うことができるような寸法を有している。しかしながら、ラッパー２０は、吸収物品１０全体を覆うことなく、リボンの形態を取ってもよい。使用前にラッパー内にパッケージされたとき、吸収物品１０は大抵１以上の回数、典型的には２回、折り畳まれるので、ラッパーの寸法は、幾分か、パッケージされる際、吸収物品１０の構造に依存する。ラッパー２０は、境界２１により規定される。
【００３２】
個別に包装される吸収物品は、通常２つの方法のうちの１つで包装される。「シングルラップ」は、折り畳まれ且つ密閉されてエンベロープを形成するラッパーを具備する。物品が折り畳まれ、エンベロープに挿入されて、ラッパーエンベロープが密閉される。シングルラップは図１に示される。「シングルラップ」のさらなる詳細が、米国特許第７４１３０７９号明細書から得られる。「クイックラップ」は、吸収物品を包装する別の形態であり、物品及びラッパーが一緒に配置されて、物品及びラッパーが一緒に折り畳まれるので、ラッパーの一部は大抵物品の間に折り畳まれて存在する。
【００３３】
パッケージされた状態において、ラッパー２０は、吸収物品１０の縁辺りで、シール２３で、密閉されている。密閉方法は、超音波、接着剤、レーザー、クリンピング、冷ローリング、機械的又は熱シーリングが挙げられ、最も良い方法が、ラッパー２０の材料、及びラッパー２０が結合される強度に応じて選択される。ラッパー２０を吸収物品１０から、縁シールを破ることにより除去することが可能であるべきである。適切に、ラッパー１０は、ラッパーの折り畳み又は縁が、吸収物品１０の１つの面に位置して、ラッパー２０の容易な開放を可能にするように、配置される。ラッパー２０は、好ましくは、吸収物品１０と一体ではなく、すなわち、それは、物品が使用される際に吸収物品に取り付けられたままにされない材料の別の一片を含む。
【００３４】
典型的には、ラッパー２０は、実質的に矩形又は正方形の一片の材料を含み、長手方向（L）及び横方向（T）範囲を有し、その範囲は吸収物品１０のものよりもわずかに長い（例えば各縁で１−４cm）（参照、例えば図２）。ラッパー２０は、境界２１により規定されている。使用する前に吸収物品１０の処理において、ラッパー２０は、実質的に平面であることが好ましい（例えば、ポケット、折りたたみ、又はシームがない１つの平面に存在すること）。
【００３５】
ラッパー２０は、適した材料の範囲があってもよい。好ましくは、ラッパー２０の材料は、液体不透過性、再利用可能及び／又は生分解可能であるべきである。適した材料には、プラスチックフィルム、不織布ウェブ及びそれらのラミネートが挙げられる。プラスチックフィルムと不織布材料のラミネートのような、プラスチックフィルムが好まれる。ラッパーは、それらの様々な領域に配置された追加の材料で、補強されることができる。ラッパー２０は、吸収物品１０のリリース紙を具備することができる（リリース紙は、使用前に、バックシート上に存在する任意の接着剤を覆う）。それ自体、ラッパー２０は、リリース紙及びパッケージングの両方として働く。それ自体、ラッパー２０は、例えばシリコン、又はリリース特性を有するラッパーを提供する同様の物質の層でコートされてもよい。代替的に、ラッパー２０は、リリース紙と別個のものとすることができる。ラッパー２０の材料は好ましくは伸張性である（すなわち、元の寸法に戻る特別な弾性力が存在することなしに伸びることができる）。
【００３６】
図１，２、及び６Ａで見られるように、ラッパー２０は、少なくとも１つのスリット３０を具備する。スリット３０は、ラッパー２０がそれらの少なくとも１つのストリップ１００を規定するように区分けする。各スリット３０の少なくとも１つの端部３１，３２は、ラッパー２０の境界２１に延在しないので、各ストリップは、ラッパー２０の使用の間中、ラッパー２０に接続したままである。
【００３７】
図１及び２の実施形態において、スリット３０の端部のいずれも、ラッパー２０の境界２１に延在しない。この方法において、ストリップ１００は、ループ４５の形態を有するように作られる。図６Ａ、６Ｂ、７Ａ及び７Ｂの実施形態において、２つのスリット３０のそれぞれの１つの端部は、ラッパー２０の境界２１に延在し、２つのストリップ１００は、このように、それらの１つの端部でラッパーの残部に接続されるように作られる。
【００３８】
どの実施形態においても、スリット３０は、完全に、全ラッパー２０を通じて、１つの面から他面まで、延在する。スリット３０は、好ましくは、シングルライン、例えば直線の形態を採るが、しかし、ラッパーの縁又は輪郭に従うように曲線又は角があるものとすることもできる。スリット３０はまた、１以上の隣接する線から形成されることができる。例えば、スリット３０は、シングルライン、それは１以上の短い線に繋がれ（例えば、Ｔ−形状、又はＹ−形状）、又は正弦曲線（Ｓ−形状）から形成されることができる。この方法においては、スリット３０は、シングルラインを有するとした場合よりも長い範囲まで開けることができる。
【００３９】
１つのストリップ１００を規定する、唯一つのスリット３０がラッパー２０に存在するのが好ましい。しかしながら、２つのスリット３０が、図６−７のように、存在することができる。スリット３０は、ラッパー２０の１つの横方向縁２４、又は１つの長手方向縁２５に近接して、適切にそれらと平行に存在する。スリット３０は、また、ラッパー２０の１つの角に配置されることもでき、すなわち、スリット３０は、ラッパー２０の横方向縁２４及び長手方向縁２５の両方に近接して配置される。スリット３０を、ラッパー２０の角に配置することは、スリット３０が、もし１つの縁に近接して配置されているのみの場合と比べて、さらに開放されることを許す。
【００４０】
スリット３０は、好ましくはラッパー２０の縁から２．５ｃｍ内に、より好ましくは１．５ｃｍ内に、最も好ましくは１ｃｍ内に配置される。しかしながら、スリット３０がラッパー２０の縁に近すぎる場合には、ストリップ１００が薄くなりすぎるので、破れる危険が生ずる。スリット４０は、そこで、ラッパー２０の縁から少なくとも０．３、より好ましくは０．５に配置される。
【００４１】
スリット３０は、適切に２０〜１００ｍｍの間の長さを有し、好ましくは３０〜８０ｍｍの間、より好ましくは約５０ｍｍの長さを有する。もしスリット３０が枝分かれしているか、又は１以上のラインを具備している場合には、この長さは、前記スリット３０に具備されるシングルラインの最も長い長さとしてみなされるべきである。
【００４２】
適切に、スリット３０の少なくとも１つの端部３１，３２が補強される。補強は、ループ４５が破れる及び／又はスリット３０が必要な距離を超えて裂ける危険を減少させる。補強は、例えば、スリット３０の端部３１，３２で接着剤の追加、スリット３０の少なくとも端部３１，３２で余分の材料の追加、及び／又は前記端部３１，３２でラッパー２０の材料を溶接及び／又は融かすことにより実行されることができる。
【００４３】
スリット３０は、目打ち３３を具備することができるので、吸収物品１０がラッパー２０内にパッケージされている場合に実質的にスリットは閉じられたままに保持されるが、それは、破れて（すなわち、相互接続されて）スリット３０を開放することができる。目打ち３３は、典型的には、スリット３０の長さ（例えば１−１５ｍｍの間隔）に沿って、通常の間隔で間隔があり、スリットの方向に１〜１５ｍｍの間の典型的なエクステンションを有する。目打ち３３の提供は、着用者に「完全な」ラッパーの可視的な再安心をもたらし、汚れたダスト及び液体が吸収物品１０のパッケージに入ることを妨害する。好ましくは、目打ち３３は、その端部３１、３２よりも、スリット３０の中間部に向かって破れることが容易である。これは、端部の補強に類似した効果をもたらすものであり、スリット３０を開けることが、端部３１，３２の近くでより難しくなる。図３及び６ｂは、どのように目打ち３３が破れてストリップ１００を形成することができるかを示す。
【００４４】
スリット３０は、引き裂き表示を具備していてもよく、それはラッパー２０上に印刷されるかエンボスの形態をとる。引き裂き表示は、使用者にスリット３０がラッパー２０中のどこに配置されるか、及びどのようにラッパー２０が引き裂かれて目打ち３３が破れるべきかを示す。引き裂き表示は、ラッパー２０上に印刷された１以上のドット又はダッシュラインを具備する。代わりに、引き裂き表示は、例えば、スリット３０の領域中に、矢、色、印刷されたテキスト又はアイコンの形態を採用し、それは、その方向及びどこに、又はどのように使用者がラッパー２０を引っ張ってスリット３０を開けるべきかを示す。
【００４５】
少なくとも１つのストリップ１００自体を規定するように、スリット３０は、ラッパー２０を区分けする。ストリップ１００は、吸収物品１０がラッパー２０内に巻かれるか及び／又は折り畳まれることができるように配置されて、前記ストリップ１００により巻かれるか及び／又は折り畳まれる構成に保持される。
【００４６】
図１−５の実施形態において、スリット３０は、ラッパー２０の境界２１に延在しない。ストリップ１００は、そこで、図３Ａに示されているように、閉じたループ４５の形態を採る。
【００４７】
吸収物品１０は、ラッパー２０内に巻かれるか及び／又は折り畳まれることができ、巻かれた及び／又は折り畳まれた吸収物品１０の少なくとも一部が前記少なくとも１つのスリット３０を通じて少なくとも部分的に挿入されて、吸収物品１０を巻かれた及び／又は折り畳まれた形状に固定する。大抵トップシートが巻き／折り畳みの内側に配置されて、処分のために巻くか及び／又は折り畳むことが行われるので、身体浸出物は、吸収物品１０内に保持される。最も通常には、吸収物品１０は、折り畳まれるよりも、ラッパー２０内に巻かれる。
【００４８】
吸収物品１０の吸収コア１７は、それらのフリンジ１８よりもより弾性を有する。したがって、吸収コア１７の一部が少なくとも部分的にスリット３０を通じて挿入されて吸収物品１０を巻かれた及び／又は折り畳まれた形状に固定するように、適切に、スリット３０が配置される。
【００４９】
汚れた吸収物品１０が清潔なものに代えられるべきとき、清潔な吸収物品１０がそのラッパー２０から取り除かれて、着用者上の適切な位置に配置される。汚れた吸収物品１０は、そして、清潔な吸収物品１０がパッケージされたラッパー２０内に巻かれ及び／又は折り畳まれることができる。
【００５０】
吸収物品１０を巻かれた及び／又は折り畳まれた形状に保持するために、ラッパー２０のストリップ１００は、前記少なくとも１つのストリップ１００が巻かれた及び／又は折り畳まれた形状に保持されるように、巻かれた及び／又は折り畳まれた吸収物品１０に包装される及び／又は結ばれることができる。もし、ストリップ１００が、ループ４５の形態にある場合には、ループ４５は、巻かれた及び／又は折り畳まれた吸収物品１０の少なくとも一部に被せることができる（すなわち、吸収物品１０の少なくとも一部は、前記少なくとも１つのループ４５を少なくとも部分的に通じて挿入される）。
【００５１】
これは、図４Ａ及び４Ｂに示されているように、実行されることができる。図４Ａは、どのように処分されるべき吸収物品１０がラッパー２０上に配置されるか、ラッパー２０及び吸収物品１０が一緒に巻かれるかを示す。図４Ｂは、どのように、巻かれたラッパー２０及び吸収物品１０が、巻かれたものをループ４５を通じて挿入することにより、巻かれた形状に保持されるかを示す。
【００５２】
図４Ａ及び４Ｂに示された方法に対する代替として、吸収物品１０は、最初にそれ自体巻かれて、次にラッパー２０内に配置され、ラッパー２０は、巻かれた吸収物品１０周りに巻かれることができる。
【００５３】
代替的に、吸収物品１０は、図５Ａ及び５Ｂに示されるように折り畳まれることができる。図５Ｂは、どのように処分されるべき吸収物品１０がラッパー２０上に配置され、ラッパー２０及びナプキン１０が一緒に折り畳まれるかを示す。図５Ｂは、どのように折り畳まれたラッパー２０及び吸収物品１０が、ループ４５を通じて吸収物品の１つの端部を挿入することにより、折り畳まれた形状に保持されるかを示す。
【００５４】
図４Ａ、４Ｂ、５Ａ及び５Ｂに示された巻かれた及び折り畳まれた形状に加えて、様々な他の巻かれた及び折り畳まれた形状が存在し、それは少なくとも一部の巻かれた及び／又は折り畳まれた吸収物品１０をスリット３０を通じて挿入することにより保持することができる。例えば、吸収物品１０は、１、３以上の折り畳み線に沿ってラッパー２０内に折り畳まれて、図５に示された三重折り畳みに代えて、二重折り畳み又は四重折り畳みを形成することができる。吸収物品１０は、２以上の異なる方向に折り畳まれる、例えば、４分の１に折り畳まれることができる。折り畳むこと及び巻くことの結合が、例えば、１つの方向に半分に吸収物品１０を折り畳んで、そして折り畳まれた物品１０を巻くことにより、使用されることができる。
【００５５】
ストリップ１００は折り畳まれた又は巻かれた吸収物品１０に組み込まれずに、その折り畳み／巻きの外側に残るように、巻くこと及び折り畳むことが実行されて、本発明により使用されることができる。
【００５６】
図６Ａ、６Ｂ及び７Ａ及び７Ｂは、本発明の他の実施形態を図示し、２つのスリットは、ラッパー２０の境界２１に延在する。少なくとも１つのストリップ１００は、このように、それらの１つの端部でラッパーの残部に接続されるように作られる。図１の実施形態内のラッパー２０の材料、及びスリット３０及びストリップ１００の特性及び配置は、スリット３０がラッパー２０の境界２１に延在するということは別として、またこの実施形態に適用する。
【００５７】
図７Ａ及び７Ｂは、どのように図６Ａ及び６Ｂのラッパー２０が使用されることができるかということを示す。使用された吸収物品１０は、ラッパー２０上に配置され、汚れた物品１０がラッパー２０内に配置されるように巻かれる。物品１０は、巻かれた物品１０周りの２つのストリップ１００を結合すること又は固定することにより、その巻かれた／折り畳まれた状態に固定される。
【００５８】
上述のように、図７Ａ及び７Ｂに示された例は、単に例示的であり、上記の第１実施形態で提示されているように、ラッパー２０内に吸収物品１０を折り畳む及び／又は巻く他の多くの方法が想像されることができる。例えば、ラッパー２０は、唯１つのストリップ１００を提供する１つのスリット３０のみを具備することができる。吸収物品１０は、折り畳まれた／巻かれた物品１０周りにシングルストリップ１００を巻きつけること、及びストリップ１００を固定することにより、その巻かれた／折り畳まれた形状に保持されることができる。
【００５９】
本願発明は、使用後に、吸収物品１０の処分のための方法をも提供し、前記方法は、以下のステップを含む。
ａ．上記によるキット１０を提供するステップ；
ｂ．もし必要であれば、スリット３０を空けるために目打ち３３を破るステップ；
ｃ．ラッパー２０内に使用された吸収物品１０を巻く及び／又は折り畳むステップ；
ｄ．前記ストリップ１００により吸収物品１０を巻かれた及び／又は折り畳まれた形状に保持するステップ。
【００６０】
本発明は、多くの実施形態及び図面を参照して記載されるが、それらに制限されると解釈されるべきではない。特に、本発明は、例えば、おむつ、失禁ガード、及びパンティライナーのような衛生ナプキンの他の吸収物品に同様に適用される。様々な材料、コンポーネント、部材及びそれらの配置は、すぐに当業者により理解される。保護の範囲は、そこで、同封の請求項により規定されるべきである。
【符号の説明】
【００６１】
１０  吸収物品
１３  中央領域
１５  トップシート
１６  バックシート
１７  吸収コア
１８  フリンジ
２０  ラッパー
２１  境界
２４  横方向縁
３０  スリット
３１  端部
３２  端部
３３  目打ち
４５  ループ
１００  ストリップ
【図１】
2012511993.tif 000003
【図２】
2012511993.tif 000004
【図３】
2012511993.tif 000005
【図４Ａ】
2012511993.tif 000006
【図４Ｂ】
2012511993.tif 000007
【図５Ａ】
2012511993.tif 000008
【図５Ｂ】
2012511993.tif 000009
【図６Ａ】
2012511993.tif 000010
【図６Ｂ】
2012511993.tif 000011
【図７Ａ】
2012511993.tif 000012
【図７Ｂ】
2012511993.tif 000013
【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
キットであって、
ａ．おむつ、男性又は女性用失禁ガード、衛生ナプキン又はパンティーライナーからなる群から選択される吸収物品（１０）；
ｂ．前記吸収物品（１０）のためのラッパー（２０）であって、境界（２１）により規定されるラッパー（２０）；
を具備し、
ここで、ラッパー（２０）は、前記ラッパー（２０）を区分けしてそれ自体少なくとも１つのストリップ（１００）を規定する少なくとも１つのスリット（３０）を具備し
前記スリット（３０）のどの端部（３１、３２）も、ラッパー（２０）の境界（２１）に延在せず、前記ストリップ（１００）は、ループ（４５）を形成し、且つ、前記吸収物品（１０）が前記ラッパー（２０）内に巻かれる及び／又は折り畳まれることができ且つ巻かれた及び／又は折り畳まれた吸収物品（１０）の少なくとも一部に亘って前記少なくとも１つのループ（４５）を被せることにより巻かれる及び／又は折り畳まれた形状で保持されることができるように、配置されることを特徴とするキット。
【請求項２】
前記ラッパー（２０）が、それ自体１つのストリップ（１００）を規定する一つのスリット（３０）を具備することを特徴とする請求項１に記載のキット。
【請求項３】
前記スリット（３０）は、ラッパー（２０）の１つの横方向縁（２４）に実質的に近接して配置されることを特徴とする請求項１又は２に記載のキット。
【請求項４】
前記スリット（３０）の少なくとも１つの端部（３１，３２）が補強されることを特徴とする請求項１から３のいずれか一項に記載のキット。
【請求項５】
前記スリット（３０）は、吸収物品（１０）がパッケージされる際スリット（３０）が実質的に閉じられて保持する目打ち（３３）を具備するが、それが破られてスリット（３０）を開放することを特徴とする請求項１から４のいずれか一項に記載のキット。
【請求項６】
吸収物品（１０）は、使用前に、前記ラッパー（２０）内にパッケージされることを特徴とする請求項１から５のいずれか一項に記載のキット。
【請求項７】
使用後に、吸収物品（１０）の処分をするための方法であって、前記方法は、
ａ．請求項１〜６のいずれか１つによるキット（１０）を提供するステップ；
ｂ．もし必要であれば、スリット（３０）を空けるために目打ち（３３）を破るステップ；
ｃ．ラッパー（２０）内に使用された吸収物品（１０）を巻く及び／又は折り畳むステップ；
ｄ．前記少なくとも１つのループ（４５）を巻かれた及び／又は折り畳まれた吸収物品（１０）の少なくとも一部に被せることにより、吸収物品（１０）を巻かれた及び／又は折り畳まれた形状に保持するステップ
を含むことを特徴とする方法。
【手続補正書】
【提出日】平成23年12月16日(2011.12.16)
【手続補正１】
【補正対象書類名】特許請求の範囲
【補正対象項目名】全文
【補正方法】変更
【補正の内容】
【特許請求の範囲】
【請求項１】
キットであって、
ａ．おむつ、男性又は女性用失禁ガード、衛生ナプキン又はパンティーライナーからなる群から選択される吸収物品（１０）；
ｂ．前記吸収物品（１０）のためのラッパー（２０）であって、境界（２１）により規定されるラッパー（２０）；
を具備し、
ここで、ラッパー（２０）は、前記ラッパー（２０）を区分けしてそれ自体少なくとも１つのストリップ（１００）を規定する少なくとも１つのスリット（３０）を具備し
前記スリット（３０）のどの端部（３１、３２）も、ラッパー（２０）の境界（２１）に延在せず、前記ストリップ（１００）は、ループ（４５）を形成し、且つ、前記吸収物品（１０）が前記ラッパー（２０）内に巻かれる及び／又は折り畳まれることができ且つ巻かれた及び／又は折り畳まれた吸収物品（１０）の少なくとも一部に亘って前記少なくとも１つのループ（４５）を被せることにより巻かれる及び／又は折り畳まれた形状で保持されることができるように、配置され、
前記吸収物品（１０）は、使用前に、前記ラッパー（２０）内にパッケージされることを特徴とするキット。
【請求項２】
前記ラッパー（２０）が、それ自体１つのストリップ（１００）を規定する一つのスリット（３０）を具備することを特徴とする請求項１に記載のキット。
【請求項３】
前記スリット（３０）は、ラッパー（２０）の１つの横方向縁（２４）に実質的に近接して配置されることを特徴とする請求項１又は２に記載のキット。
【請求項４】
前記スリット（３０）の少なくとも１つの端部（３１，３２）が補強されることを特徴とする請求項１から３のいずれか一項に記載のキット。
【請求項５】
前記スリット（３０）は、吸収物品（１０）がパッケージされる際スリット（３０）が実質的に閉じられて保持する目打ち（３３）を具備するが、それが破られてスリット（３０）を開放することを特徴とする請求項１から４のいずれか一項に記載のキット。
【請求項６】
使用後に、吸収物品（１０）の処分をするための方法であって、前記方法は、
ａ．請求項１〜５のいずれか１つによるキット（１０）を提供するステップ；
ｂ．もし必要であれば、スリット（３０）を空けるために目打ち（３３）を破るステップ；
ｃ．ラッパー（２０）内に使用された吸収物品（１０）を巻く及び／又は折り畳むステップ；
ｄ．前記少なくとも１つのループ（４５）を巻かれた及び／又は折り畳まれた吸収物品（１０）の少なくとも一部に被せることにより、吸収物品（１０）を巻かれた及び／又は折り畳まれた形状に保持するステップ
を含むことを特徴とする方法。
【国際調査報告】
2012511993.tif 000014
2012511993.tif 000015
2012511993.tif 000016
2012511993.tif 000017